【手続補正書】
【提出日】平成25年2月4日(2013.2.4)
【手続補正１】
【補正対象書類名】特許請求の範囲
【補正対象項目名】全文
【補正方法】変更
【補正の内容】
【特許請求の範囲】
【請求項１】
記憶手段と前記記憶手段に記憶されたデータを外部装置に送信する送信手段とを有する通信機能付きメモリカードと接続する接続手段と、
前記通信機能付きメモリカードに記憶されたデータの送信状態を、前記通信機能付きメモリカードに問い合わせる問い合わせ手段と、
前記接続手段により前記通信機能付きメモリカードと接続している状態において、前記送信手段により送信可能なデータのタイプを判別する判別手段と、
前記通信機能付きメモリカードに記憶されたデータの送信状態を判断する判断手段とを有し、
前記判断手段により送信状態を判断するデータのタイプが、前記送信手段により送信可能なデータのタイプである場合、前記問い合わせ手段は前記通信機能付きメモリカードに前記送信状態を問い合わせ、
前記判断手段により送信状態を判断するデータのタイプが、前記送信手段により送信可能なデータのタイプでない場合、前記問い合わせ手段は前記通信機能付きメモリカードに前記送信状態を問い合わせないことを特徴とする情報処理装置。
【請求項２】
前記送信状態は、前記通信機能付きメモリカードに記憶されたデータが前記送信手段により外部装置に既に送信されたか否かを示す情報を含むことを特徴とする請求項１に記載の情報処理装置。
【請求項３】
前記判断手段により送信状態を判断するデータのタイプが、前記送信手段により送信可能なデータのタイプでない場合、前記判断手段は、前記問い合わせ手段による前記送信状態の問い合わせを行うことなく、前記データが前記外部装置に送信されていないと判断することを特徴とする請求項２に記載の情報処理装置。
【請求項４】
前記送信状態は、前記通信機能付きメモリカードに記憶されたデータが前記送信手段により外部装置に送信されている最中か否かを示す情報を含むことを特徴とする請求項１乃至３のいずれか１項に記載の情報処理装置。
【請求項５】
前記送信状態は、前記通信機能付きメモリカードに記憶されたデータが前記送信手段により外部装置に送信が試みられた結果、送信されなかったか否かを示す情報を含むことを特徴とする請求項１乃至４のいずれか１項に記載の情報処理装置。
【請求項６】
前記通信機能付きメモリカードに記憶されたデータの表示を制御する表示制御手段をさらに有し、
前記問い合わせ手段は、前記表示制御手段による表示対象のデータの送信状態を問い合わせる請求項１乃至５のいずれか１項に記載の情報処理装置。
【請求項７】
前記通信機能付きメモリカードに記憶されたデータが画面に表示される場合、前記表示制御手段は、前記表示対象のデータの送信状態が識別できるよう表示を制御することを特徴とする請求項６に記載の情報処理装置。
【請求項８】
被写体を撮像して画像データを生成する撮像手段と、
前記通信機能付きメモリカードの記憶手段に、前記撮像手段により生成された画像データを前記データとして記憶する記憶制御手段とを更に有することを特徴とする請求項６または７に記載の情報処理装置。
【請求項９】
前記撮像手段により画像データを生成する撮像モードと、前記表示制御手段により、前記通信機能付きメモリカードの記憶手段に記憶されている画像データの表示を制御する再生モードとを切り替える切り替え手段を更に有することを特徴とする請求項８に記載の情報処理装置。
【請求項１０】
前記判別手段は、前記再生モードが開始されたことに応じて、前記送信手段により送信可能なデータのタイプを判別することを特徴とする請求項９に記載の情報処理装置。
【請求項１１】
記憶手段と前記記憶手段に記憶されたデータを外部装置に送信する送信手段とを有する通信機能付きメモリカードと接続する接続手段と、
前記通信機能付きメモリカードに記憶されたデータの送信状態を、前記通信機能付きメモリカードに問い合わせる問い合わせ手段と、
前記接続手段により前記通信機能付きメモリカードと接続している状態において、前記送信手段により送信可能なデータのタイプを判別する判別手段とを有し、
前記問い合わせ手段は、前記送信手段により送信可能でないタイプのデータの前記送信状態を前記通信機能付きメモリカードに問い合わせないことを特徴とする情報処理装置。
【請求項１２】
前記送信状態は、前記通信機能付きメモリカードに記憶されたデータが前記送信手段により外部装置に既に送信されたか否かを示す情報を含むことを特徴とする請求項１１に記載の情報処理装置。
【請求項１３】
前記送信状態は、前記通信機能付きメモリカードに記憶されたデータが前記送信手段により外部装置に送信されている最中か否かを示す情報を含むことを特徴とする請求項１１または１２に記載の情報処理装置。
【請求項１４】
前記送信状態は、前記通信機能付きメモリカードに記憶されたデータが前記送信手段により外部装置に送信が試みられた結果、送信されなかったか否かを示す情報を含むことを特徴とする請求項１１乃至１３のいずれか１項に記載の情報処理装置。
【請求項１５】
前記通信機能付きメモリカードに記憶されたデータの表示を制御する表示制御手段をさらに有し、
前記問い合わせ手段は、前記表示制御手段による表示対象のデータの送信状態を問い合わせる請求項１１乃至１４のいずれか１項に記載の情報処理装置。
【請求項１６】
前記通信機能付きメモリカードに記憶されたデータが画面に表示される場合、前記表示制御手段は、前記表示対象のデータの送信状態が識別できるよう表示を制御することを特徴とする請求項１５に記載の情報処理装置。
【請求項１７】
前記表示対象のデータのタイプが前記送信手段により送信可能なデータのタイプでない場合、前記表示制御手段は、前記問い合わせ手段による前記送信状態の問い合わせを行うことなく、前記表示対象のデータの送信状態を未送信の状態と識別できるよう表示を制御することを特徴とする請求項１６に記載の情報処理装置。
【請求項１８】
被写体を撮像して画像データを生成する撮像手段と、
前記通信機能付きメモリカードの記憶手段に、前記撮像手段により生成された画像データを前記データとして記憶する記憶制御手段とを更に有することを特徴とする請求項１５乃至１７のいずれか１項に記載の情報処理装置。
【請求項１９】
前記撮像手段により画像データを生成する撮像モードと、前記表示制御手段により、前記通信機能付きメモリカードの記憶手段に記憶されている画像データの表示を制御する再生モードとを切り替える切り替え手段を更に有することを特徴とする請求項１８に記載の情報処理装置。
【請求項２０】
前記判別手段は、前記再生モードが開始されたことに応じて、前記送信手段により送信可能なデータのタイプを判別することを特徴とする請求項１９に記載の情報処理装置。
【請求項２１】
前記メモリカードの種類を、前記メモリカードから受信する受信手段を更に有し、
前記判別手段は前記メモリカードの種類に基づき、前記送信手段により送信可能なデータのタイプを判別することを特徴とする請求項１乃至２０のいずれか１項に記載の情報処理装置。
【請求項２２】
前記送信手段により送信可能なデータのタイプは、少なくともＪＰＥＧ形式で記憶された画像データを含むことを特徴とする請求項１乃至２１のいずれか１項に記載の情報処理装置。
【請求項２３】
前記メモリカードの送信手段は、無線通信を介してデータを送信することを特徴とする請求項１乃至２２のいずれか１項に記載の情報処理装置。
【請求項２４】
記憶手段と前記記憶手段に記憶されたデータを外部装置に送信する送信手段とを有する通信機能付きメモリカードと接続する接続工程と、
前記通信機能付きメモリカードに記憶されたデータの送信状態を、前記通信機能付きメモリカードに問い合わせる問い合わせ工程と、
前記送信手段により送信可能なデータのタイプを判別する判別工程と、
前記通信機能付きメモリカードに記憶されたデータの送信状態を判断する判断工程とを有し、
前記送信状態を判断するデータのタイプが、前記送信手段により送信可能なデータのタイプである場合、前記問い合わせ工程を実行し、
前記送信状態を判断するデータのタイプが、前記送信手段により送信可能なデータのタイプでない場合、前記問い合わせ工程を実行しないことを特徴とする情報処理装置の制御方法。
【請求項２５】
記憶手段と前記記憶手段に記憶されたデータを外部装置に送信する送信手段とを有する通信機能付きメモリカードと接続する接続工程と、
前記通信機能付きメモリカードに記憶されたデータの送信状態を、前記通信機能付きメモリカードに問い合わせる問い合わせ工程と、
前記送信手段により送信可能なデータのタイプを判別する判別工程とを有し、
前記問い合わせ工程では、前記送信手段により送信可能でないタイプのデータの前記送信状態を前記通信機能付きメモリカードに問い合わせないことを特徴とする情報処理装置の制御方法。
【請求項２６】
コンピュータを、請求項１乃至２３のいずれか１項に記載の情報処理装置の各機能として動作させるための、コンピュータが読み取り可能なプログラム。